(57)【要約】【課題】洗浄性を高めた容器を提供する。【解決手段】本発明の一形態に係る容器（１０）は、容器本体の側壁部（２）の外面に第１支持部（３ａ）を備え、第１支持部（３ａ）の下部に、貫通部（３４）が設けられた凹構造部（５０）を有し、凹構造部（５０）は貫通部（３４）に向かって斜め上方に傾斜している底壁部である連結部（３３ａ）を有している。【選択図】図１
2020200075.tif 000002
【特許請求の範囲】
【請求項１】
上面が開口した平面視矩形状の容器本体と、上記容器本体の側壁部の外面の下部に設けられ、上記外面から突出した支持部とを備え、複数個を積み重ねた場合に、上記側壁部の上端部に、上に重ねた容器の上記支持部を載置可能な容器において、
上記支持部の下部に、下方に開口し、上向きに凹となり、上端部が底壁部となっている凹構造部を有し、
上記凹構造部の上記底壁部あるいは上記底壁部の近傍には、貫通孔が設けられており、
上記底壁部は、上記貫通孔に向かって斜め上方に傾斜している、容器。
【請求項２】
上記支持部は、上記側壁部の上記外面から各々突出した第１突出部および第２突出部を有し、
上記底壁部は、上記第１突出部と上記第２突出部とを連結し、
上記側壁部の上記外面、上記第１突出部、上記第２突出部および上記底壁部は上記凹構造部を形成し、
上記貫通孔は、
（ア）上記底壁部と上記側壁部の上記外面と上記第１突出部および上記第２突出部の少なくとも一方とによって囲まれているか、
（イ）上記底壁部と上記側壁部の上記外面とによって囲まれているか、もしくは
（ウ）上記底壁部によって囲まれている、請求項１に記載の容器。
【請求項３】
上記支持部は、上記凹構造部の上方位置、または上端部の下方位置に、切り欠き部を有している、請求項１または２に記載の容器。
【請求項４】
上記第１および第２突出部における上記側壁部の上記外面からの突出長は、上記第１および第２突出部の上部から下部に向かって大きくなっている、請求項２に記載の容器。
【請求項５】
上記凹構造部は、開口している側に、傾斜部を有し、
上記側壁部の上記上端部は、上に積み重ねる上記容器の上記凹構造部の上記傾斜部と係合する係合部を有している、請求項１から４の何れか１項に記載の容器。
【発明の詳細な説明】
【技術分野】
【０００１】
本発明は、物品の搬送等に使用される容器に関する。
【背景技術】
【０００２】
物品の搬送等に使用される容器として、内容物が収納されていない容器同士を積み重ねた際には、上に位置する容器の下部分が、下に位置する容器に嵌め込まれ、所謂、ネスティングされ、また、内容物が収納された容器を積み重ねる際には、上に位置する容器が、下に位置する容器のフランジに載置されて、嵌め込まれないように積み重ねる、所謂、スタッキングされる形態の容器が知られている。
【０００３】
このような形態の容器として、例えば特許文献１に開示された搬送用容器がある。以下、この搬送用容器について、図２３を用いて説明する。
【０００４】
図２３には、特許文献１に開示された搬送用容器の側面図を示しており、図２３の右側に、３つの搬送用容器１０６を上下に並べて示している。これら３つの搬送用容器１０６のうちの上の２つの搬送用容器１０６は、或る側壁部１０３ａ側の外面を示しており、一番下の搬送用容器１０６は、該或る側壁部１０３ａと対をなす側壁部１０３ｂ側の外面を示している。これら３つの搬送用容器１０６を用いて搬送用容器１０６の構造を説明すると、搬送用容器１０６の側壁部の外面には、下方に支持脚１０４（１０４ａ、１０４ｂ）が設けられており、側壁部の上方にはポケット部１０５（１０５ａ、１０５ｂ）が設けられている。そして、この搬送用容器１０６を２つ上下に積み重ねる際に、重ね合せ方により、先述のネスティングとスタッキングの２つのタイプの形態がある。具体的には、図２３の左側にスタッキングタイプ１０００ｓｔで積み重ねたものと、ネスティングタイプ１０００ｎｅで積み重ねた搬送用容器１０６を示している。ネスティングタイプ１０００ｎｅの形態では、上に位置する搬送用容器１０６の下方の支持脚１０４が、下に位置する搬送用容器１０６の上方のポケット部１０５に嵌入されている。一方、スタッキングタイプ１０００ｓｔの形態では、上に位置する搬送用容器１０６の下方の支持脚１０４が、下に位置する搬送用容器１０６のフランジ部１０２に載置される。
【０００５】
図２４は、搬送用容器１０６同士がネスティングタイプの形態をとって積み重ねられている状態における、ポケット部１０５とこれに嵌入された支持脚１０４の様子を示す。支持脚１０４の下面部には、下方部に開口した凹部１１１が設けられている。
【先行技術文献】
【特許文献】
【０００６】
【特許文献１】特開平１１−３０１６７８号公報（１９９９年１１月２日公開）
【発明の概要】
【発明が解決しようとする課題】
【０００７】
しかしながら、特許文献１に開示された搬送用容器の構造の場合、洗浄性が劣るという問題がある。これについて、図２５を用いて説明する。
【０００８】
図２５は、図２４の凹部１１１を上下反転させた状態を示す。
【０００９】
搬送用容器の洗浄は、一般に、容器の開口側を下に向け、下および斜め下側から容器の内面側および外面側に向けて洗浄液を噴射しておこなう。噴射された洗浄液は、容器から下方に垂れ落ちて除去され、必要に応じて乾燥工程に移行する。
【００１０】
ところが、図２５のように凹部１１１があると、洗浄液が凹部１１１に溜って、残ってしまい、洗浄性が悪化する。更に乾燥工程に移行する場合であっても、乾燥に時間を要する。
【００１１】
また、搬送用容器から内容物を除いた後、あるいは、洗浄した後に、搬送用容器を上下反転させて開口側を下に向け、屋外に出して保管することがあるが、この場合にも、凹部１１１に雨水などが残るという不具合が生じる。また、水気の拭き取り作業が必要になる場合があり、手間である。
【００１２】
そこで、本発明の一態様は、先述の不具合を解消させた搬送用容器を実現することを目的とする。
【課題を解決するための手段】
【００１３】
上記の課題を解決するために、本発明の一態様に係る容器は、上面が開口した平面視矩形状の容器本体と、上記容器本体の側壁部の外面の下部に設けられ、上記外面から突出した支持部とを備え、複数個を積み重ねた場合に、上記側壁部の上端部に、上に重ねた容器の上記支持部を載置可能な容器において、上記支持部の下部に、下方に開口し、上向きに凹となり、上端部が底壁部となっている凹構造部を有し、上記凹構造部の上記底壁部あるいは上記底壁部の近傍には、貫通孔が設けられており、上記底壁部は、上記貫通孔に向かって斜め上方に傾斜している。
【発明の効果】
【００１４】
本発明の一態様によれば、洗浄性の不具合を解消した容器を提供することができる。
【図面の簡単な説明】
【００１５】
【図１】本発明の一実施形態に係る容器の斜視図である。
【図２】図１に示す容器を左右反転させて示した斜視図である。
【図３】図１に示す容器の開口側を下に向けて、底壁構成部を上に向けた状態の容器の斜視図である。
【図４】図３に示す切断線Ａ−Ａ´において容器を切断した状態を示す矢視断面斜視図である。
【図５】図３に示す切断線Ｂ−Ｂ´において容器を切断した状態を示す矢視断面斜視図である。
【図６】本発明の一実施形態に係る容器同士をスタッキングタイプにて積み重ねた状態を示す斜視図である。
【図７】本発明の一実施形態に係る容器同士をネスティングタイプにて積み重ねた状態を示す斜視図である。
【図８】図６に示すスタッキングタイプにて積み重なった容器を切断線Ｃ−Ｃ´において切断した状態を示す矢視断面斜視図である。
【図９】図８の部分拡大図である。
【図１０】図６に示すスタッキングタイプにて積み重なった容器を切断線Ｄ−Ｄ´において切断した状態を示す矢視断面斜視図である。
【図１１】図１０の部分拡大図である。
【図１２】図７に示すネスティングタイプにて積み重なった容器を切断線Ｅ−Ｅ´において切断した状態を示す矢視断面斜視図である。
【図１３】図７に示すネスティングタイプにて積み重なった容器を切断線Ｆ−Ｆ´において切断した状態を示す矢視断面斜視図である。
【図１４】本発明の一変形例に係る容器の一部分の断面図である。
【図１５】本発明の一変形例に係る容器の一部分の断面図である。
【図１６】本発明の一変形例に係る容器の一部分の断面図である。
【図１７】本発明の他の実施形態に係る容器の斜視図である。
【図１８】図１７に示す切断線Ｇ−Ｇ´において容器を部分的に切断した状態を示す部分断面斜視図である。
【図１９】本発明の一変形例に係る容器の一部分の断面図である。
【図２０】本発明の一変形例に係る容器の一部分の断面図である。
【図２１】本発明の一変形例に係る容器の一部分を示す部分斜視図である。
【図２２】図２１に示す切断線Ｈ−Ｈ´において容器を部分的に切断した状態を示す部分断面斜視図である。
【図２３】従来技術を示す図である。
【図２４】従来技術を示す図である。
【図２５】従来技術を示す図である。
【発明を実施するための形態】
【００１６】
〔実施形態１〕
以下、本発明に係る容器の一実施形態について、詳細に説明する。
【００１７】
図１は、本実施形態１の容器１０の斜視図である。図２は、図１に示す容器１０を左右反転させて示した斜視図である。要するに、図１の紙面手前側に図示されている二つの側壁部２が、図２では紙面奥側に図示されていて、図１の紙面奥側に図示されている二つの側壁部２が、図２では紙面手前側に図示されている。図３は、容器１０の開口側を下に向けて、底構成部１を上に向けた状態の容器１０の斜視図である。
【００１８】
容器１０は、内容物を収納することができる搬送用容器である。また、容器１０同士を積み重ねることができ、その際に、従前の容器と同じく、容器１０に内容物を収納した状態では背を高くして積み上げるスタッキングタイプで積み重ねることができる（図６）。一方、容器１０に内容物を収納していない状態では背を低くして重ねるネスティングタイプで積み重ねることができる（図７）。これについては後述する。
【００１９】
本発明者は、図２５に示した従前の搬送用容器１０６について、凹部１１１への洗浄水残留に伴った課題があることを見出した。そこで、この課題を解決するべく鋭意検討し、本発明を想起するに至った。
【００２０】
この課題を解決するために、容器１０は、下方に開口し、上向きに凹となり、上端部が底壁部（連結部３３ａ、３３ｂ、３３ｃ、以下「連結部３３」と総称する）となっている凹構造部５０（図３）を下部に設けた支持部３を備え、凹構造部５０の底壁部あるいはその近傍には、貫通孔（貫通部３４ａ、３４ｂ、３４ｃ、以下「貫通部３４」と総称する）が設けられており、底壁部は、上記貫通孔に向かって斜め上方に傾斜している。詳細は後述する。
【００２１】
これにより、容器１０は、容器１０を裏返して洗浄する工程を経ても、凹構造部５０に入った洗浄水が貫通部３４から凹構造部５０の外に排出されて残留しない。また、容器１０を屋外にて保管する場合が想定されるが、その際に、容器１０を裏返して保管した場合であっても、凹構造部５０に雨水が溜る事態も避けることができる。
【００２２】
以下、容器１０の全体を説明する。なお、以下の説明において、上あるいは下という表現を用いるが、特段説明していない場合は、容器１０の開口を上に向けた状態を前提としており、容器１０の開口側を上、底構成部１側を下と称する。
【００２３】
（１）容器１０の全体構造
図１および図２に示す容器１０は、上面が開口した平面視矩形状を有した容器本体２０と、複数の支持部３とを備えている。
【００２４】
容器本体２０は、矩形の底構成部１と、底構成部１の周縁から上方に立ち上がった側壁部２とを有している。底構成部１は周縁を４辺で構成される平面長方形を有しており、その各辺から側壁部２が立ち上がっている。図３に示すように、底構成部１は、平面長方形の底部１ａと、底部１ａの下面に格子状に設けられた底リブ１ｂとを有している。なお、説明の便宜上、底構成部１の周縁の４辺のうちの対をなす長辺の各々から立ち上がっている側壁部２を、長辺側側壁部２ａと称し、底構成部１の周縁の４辺のうちの対をなす短辺の各々から立ち上がっている側壁部２を、短辺側側壁部２ｂと称する。なお、このように区別する必要がない場合には、単に側壁部２と称することもある。
【００２５】
また、容器本体２０には、側壁部２の上端部に上フランジ部５が設けられている。上フランジ部５は、側壁部２の上端部から側方に突出しており、容器１０における開口側を構造的に補強して変形抑制に寄与している。
【００２６】
また、容器本体２０には、側壁部２に複数のポケット部４が設けられている。各ポケット部４は、側壁部２の上端部から下方に延設されており、側壁部２の上端部（上フランジ部５の上面）において開口するとともに、容器本体２０の内面側にも開口している。図１および図２に示すように、ポケット部４は、各々の長辺側側壁部２ａに２つずつ設けられ、各々の短辺側側壁部２ｂに２つずつ設けられている。各ポケット部４には、支持部３を嵌め入れることができる。詳細は後述するが、容器１０に設けられた複数の支持部３は、各々サイズが異なっているため、各ポケット部４の幅は、ネスティングタイプでの容器１０の積み重ねの際に嵌め入れる支持部３のサイズに合わせて設計されている。
【００２７】
また、容器本体２０には、側壁部２の上端部（上フランジ部５の上面）におけるポケット部４の開口部に隣接した位置に、当接エリア５ａが設けられている。当接エリア５ａには、スタッキングタイプで積み重ねられた上の容器１０の支持部３の下部が当接する。当接エリア５ａは、上フランジ部５の上面の他のエリアに対して一段下がった段差を有して設けられており、当接させた支持部３がその位置からずれることを抑制することができる。図１および図２の例では、当接エリア５ａは、各々の長辺側側壁部２ａに１つ設けられ、短辺側側壁部２ｂに２つずつ設けられている。
【００２８】
また、容器本体２０には、各々の長辺側側壁部２ａの上端（上フランジ部５の上面）に、長辺に沿ってレール部５ｂが延設されている。レール部５ｂは、当接エリア５ａと同様に、上フランジ部５の上面の他のエリアに対して段差を有して設けられている。レール部５ｂは、上に容器１０を積み重ねる際に、上の容器１０を所定位置までガイドする役目を有する。具体的には、上の容器１０の長辺側側壁部２ａに設けられている支持部３の下部を、下の容器１０に設けたレール部５ｂ上をレール部５ｂの延設方向に沿ってスライドさせることにより、積み重ね作業を円滑におこなうことを補助する。
【００２９】
また、容器本体２０には、容器１０の開口側の構造的な補強の目的で、補助フランジ部６と、フランジ補強リブ７とが設けられている。補助フランジ部６は、容器１０の開口側の４つの角部およびその近傍において、側壁部２から外方に突出しており、上フランジ部５に沿って平行に設けられている。また、フランジ補強リブ７は、容器本体２０の上端から下方に向かって延設されている、側壁部２から外方に突出したリブである。
【００３０】
複数の支持部３は、側壁部２の外面における下部において、当該外面より突出して設けられた支持脚である。各支持部３は、容器１０同士をスタッキングタイプで積み重ねた場合に、容器１０の側壁部２の上端部に載置される。一方で、ネスティングタイプで積み重ねた場合には、上の容器１０の各支持部３が下の容器１０のポケット部４に嵌め入れられる。
【００３１】
具体的には、支持部３は、各長辺側側壁部２ａに２つずつ、各短辺側側壁部２ｂに２つずつ設けられている。
【００３２】
容器１０は、短辺側側壁部２ｂに設けられた支持部３の構造と、長辺側側壁部２ａに設けられた支持部３の構造（形状）とは異なっており、更には、１つの長辺側側壁部２ａに設けられた２つの支持部３同士も、その構造が異なっている。
【００３３】
このように構造上は複数の支持部３は互いに異なっているが、図３に示すように、何れの支持部３も、下部に、下方に開口し、上向きに凹となり、上端部が底壁部（連結部３３）となっている凹構造部５０が設けられており、凹構造部５０の底壁部あるいはその近傍に貫通部３４が設けられている。更に、何れの支持部３も、連結部３３が、貫通部３４に向かって斜め上方に傾斜している。これは、凹構造部５０の内面における貫通部３４の周辺の少なくとも一部分の領域は、凹構造部５０の開口を下に向けている状態、すなわち容器１０の開口が上を向いている状態において、貫通部３４の位置を頂点として傾斜していると換言可能である。
【００３４】
また、何れの支持部３も、対をなす第１突出部（縦リブ３１ａ，３１ｂ，３１ｃ、以下「縦リブ３１」と総称する）および第２突出部（縦リブ３２ａ，３２ｂ，３２ｃ、以下「縦リブ３２」と総称する）と、連結部３３とが設けられている。
【００３５】
以下、各支持部３の詳細な構造を説明する。なお、説明するにあたり、以下では、短辺側側壁部２ｂに設けられた支持部３を、第１支持部３ａと称する。また、長辺側側壁部２ａに設けられた支持部３を第２支持部３ｂ、第３支持部３ｃと称する。また、これに伴い、縦リブ３１、３２、連結部３３および貫通部３４についても、いずれの支持部に構成されているかを明示するべく、各々の符号の末尾に、支持部の符号の末尾に付すａ、ｂあるいはｃを付す。また、後述する切欠き部３５についても、いずれの支持部に構成されているかを明示するべく、各々の符号の末尾に、支持部の符号の末尾に付すａ、ｂあるいはｃを付す。
【００３６】
（２）支持部３の構造
（２−１）第１支持部３ａ
第１支持部３ａは、図１および図２に示すように、短辺側側壁部２ｂの外面から各々突出した２つの縦リブ３１ａ，３２ａと、連結部３３ａと、貫通部３４ａとが設けられている。
【００３７】
２つの縦リブ３１ａ，３２ａは、それぞれ、短辺側側壁部２ｂの下部から上方に向かって延設されている。一方の縦リブ３１ａと他方の縦リブ３２ａとは、所定の間隔を有して離間している。
【００３８】
２つの縦リブ３１ａ，３２ａは、何れも、外方へ突出しているが、短辺側側壁部２ｂの上部から下部に向かって、突出長が次第に長くなっている。そして、短辺側側壁部２ｂの下部側の最も突出長が長い箇所において突出長が一定区間等しくなっている。すなわち、２つの縦リブ３１ａ，３２ａは、長辺側側壁部２ａを正面にして容器１０を側方から見た場合に、台形を有している。
【００３９】
これは言い換えれば、２つの縦リブ３１ａ，３２ａは、短辺側側壁部２ｂの上端側が切り欠かれていると言える。図１および図２には、短辺側側壁部２ｂの上端側の切り欠きを切り欠き部３５ａとして図示している。
【００４０】
２つの縦リブ３１ａ，３２ａの下端部は、第１支持部３ａの下端部に相当し、スタッキングタイプで容器１０同士を積み重ねた場合に、下の容器１０の上フランジ部５に設けられた当接エリア５ａに当接する。この２つの縦リブ３１ａ，３２ａの下端部において突出長が最も長くなっていることにより、スタッキングさせ易く、また、積み重ねた容器１０同士のバランスに安定性をもたらすことができる。
【００４１】
また、２つの縦リブ３１ａ，３２ａの下端部側において最も長い突出長を有する区間が一定区間あることにより、第１支持部３ａの構造的補強に寄与している。
【００４２】
先述のように、２つの縦リブ３１ａ，３２ａに切り欠き部３５ａを設けていることのメリットとしては、切り欠き部３５ａによって、２つの縦リブ３１ａ，３２ａに挟まれた領域を露出させることができるという点にある。これにより、容器１０の洗浄時に当該領域に外側から洗浄水を当て易く、洗浄性を高めることができる。また、斜め方向から噴射される洗浄液が、当該領域に当たり易くなるため、洗浄効率のアップに寄与することができる。
【００４３】
また、切り欠き部３５ａを設けたことにより、切り欠き部３５ａが設けられていない場合に比べて容器１０の軽量化に寄与しつつも、鉛直方向に沿った縦リブ３１，３２の延設長を確保することができるので、縦リブ３１，３２の強度の低下を抑制することができる。また、切り欠き部３５ａが無い場合に比べて、容器１０同士をネスティングタイプで積み重ねる際の、ポケット部４の内面との接触領域を小さくすることができる。そのため、ポケット部４への嵌入および取り外し作業の当該内面との摩擦による作業効率の低下を抑制することができる。
【００４４】
連結部３３ａは、対をなす一方の縦リブ３１ａと他方の縦リブ３２ａとを連結する。
【００４５】
連結部３３ａは、図２に示すように、傾斜壁３３１と垂下壁３３２とを有している。傾斜壁３３１は、先述した２つの縦リブ３１ａ，３２ａの突出長が下部に向かって徐々に長くなっている区間に設けられている。垂下壁３３２は、２つの縦リブ３１ａ，３２ａの下部における突出長が等しい先述の一定区間の部分に設けられている。傾斜壁３３１も垂下壁３３２も、２つの縦リブ３１ａ，３２ａの突出端の端辺に沿って設けられている。
【００４６】
連結部３３ａによって一方の縦リブ３１ａと他方の縦リブ３２ａとが連結されていることにより、第１支持部３ａの強度を高めることができる。要するに、２つの縦リブ３１ａ，３２ａが単に突出しただけで、連結されていない状態である場合、別の容器１０の上端部（上フランジ部の上面）と接触した際に、破損する危険があるが、連結部３３ａが設けられていることにより、その危険を回避することができる。特に、連結部３３ａの下部に、ほぼ垂直方向に延びた垂下壁３３２が設けられていることにより、十分な強度を確保することができる。
【００４７】
連結部３３ａは、短辺側側壁部２ｂの外面に対向配置していると言える。そして、連結部３３ａの対向面と、短辺側側壁部２ｂの外面と、２つの縦リブ３１ａ，３２ａ同士の対向面とによって、第１支持部３ａの下部の内周面を構成している。また、容器１０の開口を上方に向けて該容器１０を置いた状態において、連結部３３ａの対向面のうちの一部分、具体的には、傾斜壁３３１における短辺側側壁部２ｂの外面との対向面は、外方側から短辺側側壁部２ｂの外面に向かって上るように傾斜した傾斜面を有している。
【００４８】
要するに、先述した凹構造部５０が、この第１支持部３ａの下部に構成されていると言える。凹構造部５０は、容器１０の開口を上方に向けて該容器１０を置いた状態において、下方に開口し、先述した内周面が、この開口の周縁を構成している。そして、凹構造部５０の底となる領域が、傾斜壁３３１（底壁部）によって構成されている。
【００４９】
また、傾斜壁３３１の上端部、すなわち傾斜壁３３１における第１支持部３ａの下部とは反対側は、短辺側側壁部２ｂの外面から離間している。この離間している部分が、先述した凹構造部５０に設けられた貫通部３４ａにあたる。換言すれば、貫通部３４ａの周囲は、２つの縦リブ３１ａ，３２ａと、短辺側側壁部２ｂの外面と、傾斜壁３３１とによって構成されていると言える。
【００５０】
すなわち、容器１０の第１支持部３ａの下部には、凹構造部５０が設けられており、凹構造部５０の開口が下を向いている状態において、凹構造部５０の内面における貫通部３４ａの周辺の少なくとも一部分の領域にあたる傾斜壁３３１は、貫通部３４ａの位置を頂点として傾斜している。
【００５１】
図４は、図３に示す切断線Ａ−Ａ´において容器１０を切断した状態を示す矢視断面斜視図である。なお、図４は、従前の搬送用容器の一部の断面を示した図２５と対応させている。容器１０によれば、第１支持部３ａの凹構造部５０の底に貫通部３４ａが設けられていることにより、図３に示すように容器１０を下向きに置いた状態で、その下方および斜め方向から噴射した洗浄水が凹構造部５０に入り込んだとしても、貫通部３４ａから凹構造部５０外に排出される。図１から図４に示すように、貫通部３４ａは容器１０外部に露出しており、凹構造部５０に入った洗浄水は、貫通部３４ａを通じて容器１０外に排出されることになる。
【００５２】
傾斜壁３３１の傾斜角度θは、水平方向に対して傾斜していればよいが、凹構造部５０に入った洗浄水がスムーズに傾斜壁３３１を流れ落ちるためには、水平方向に対して１５°以上傾斜していることが好ましく、凹構造部５０に入った洗浄水を貫通部３４ａに向かってよりスムーズにガイドするためには３０°以上傾斜していることがより好ましい。
【００５３】
また、傾斜壁３３１は、鉛直方向に延設された２つの縦リブ３１ａ，３２ａの補強の役割も担っており、図１あるいは図３の向きで容器１０を静置している状態において、鉛直方向に対しても、傾斜している。要するに、先の傾斜角度θは、大きくても、水平方向に対して９０°未満である。
【００５４】
また、傾斜壁３３１の上端部（貫通部３４ａ側の端部）の縁辺は、一方の縦リブ３１ａとの境界箇所と他方の縦リブ３２ａとの境界箇所とにより挟まれた中央箇所が切り欠かれた形状を有している。これにより、貫通部３４ａを広く開口させつつ、連結部３３ａとして縦リブ３１ａ，３２ａとの連結領域を確保して強度を維持することができる。
【００５５】
ここで、図４において断面を示した第１支持部３ａにおける容器１０の開口側に、補助フランジ部６およびフランジ補強リブ７を図示している。本実施形態１では、図４における補助フランジ部６を境にして、第１支持部３ａの縦リブとフランジ補強リブ７とに区別している。しかしながら、フランジ補強リブ７は、第１支持部３ａの一方の縦リブ３１ａと一体であることから、該縦リブ３１ａが上フランジ部５と接する箇所まで延設されているとみなしても構わない。
【００５６】
（２−２）第２支持部３ｂ
第２支持部３ｂは、図１および図２に示すように、長辺側側壁部２ａの外面から各々突出した２つの縦リブ３１ｂ、３２ｂと、連結部３３ｂと、貫通部３４ｂとが設けられている。
【００５７】
２つの縦リブ３１ｂ、３２ｂは、長辺側側壁部２ａの下部にあって、当該下部から上に向かって延設されており、一方の縦リブ３１ｂと他方の縦リブ３２ｂとは離間している。なお、本実施形態１では、２つの縦リブ３１ｂ、３２ｂの離間距離は、先述した第１支持部３ａの２つの縦リブ３１ａ、３２ａの離間距離よりも大きく構成されている。
【００５８】
２つの縦リブ３１ｂ、３２ｂは、長辺側側壁部２ａの上端部に近い側が、外方への突出長が最も長く、そこから次第に突出長が短くなっている形状を有している。言い換えれば、２つの縦リブ３１ｂ、３２ｂは、長辺側側壁部２ａの下部側が切り欠かれていると言える。図１および図２には、長辺側側壁部２ａの下部側の切り欠きを切り欠き部３５ｂとして図示している。
【００５９】
２つの縦リブ３１ｂ、３２ｂの下端部は、第２支持部３ｂの下端部に相当する。そのため、スタッキングタイプで容器１０同士を積み重ねた場合に、下の容器１０の上フランジ部５に当接する。２つの縦リブ３１ｂ、３２ｂの下端部側の突出長を小さくすることにより、容器１０同士をネスティングタイプで積み重ねる際、ポケット部４へのスムーズな嵌入およびポケット部４からの取り外しを可能にしている。また、切り欠き部３５ｂを設けていることのメリットとしては、先述の切り欠き部３５ａの場合と同様に、２つの縦リブ３１ｂ、３２ｂに挟まれた領域の洗浄性の向上にある。また、切り欠き部３５ａと同様に、軽量化にも寄与する。
【００６０】
２つの縦リブ３１ｂ、３２ｂの下端部側の突出端の位置は、上フランジ部５の突出端の位置よりも、容器１０の収容側に入っている。
【００６１】
連結部３３ｂは、対をなす一方の縦リブ３１ｂと他方の縦リブ３２ｂとを連結する。図１に示すように、連結部３３ｂは、凡そ矩形の壁から構成されており、矩形を構成する４つの端辺のうちの一対の端辺は、一方の端辺が一方の縦リブ３１ｂにおける他方の縦リブ３２ｂとの対向面に当接し、他方の端辺が他方の縦リブ３２ｂにおける一方の縦リブ３１ｂとの対向面に当接している。また、連結部３３ｂにおける先述の４つの端辺のうちの、もう一対の端辺は、一方の端辺が長辺側側壁部２ａの外面に当接しており、他方の端辺が外方に露出している。
【００６２】
また、連結部３３ｂは傾斜壁であり、図１および図２に示すように容器１０の開口を上方に向けて該容器１０を置いた状態において、長辺側側壁部２ａの外面に当接した端辺が最も上に位置し、この端辺と対をなす端辺に向かって下方に傾斜している。最も下に位置する、外方に露出した端辺は、２つの縦リブ３１ｂ、３２ｂの下端部とともに、第２支持部３ｂの下端部を構成している。
【００６３】
換言すれば、連結部３３ｂは、外方側から長辺側側壁部２ａの外面に向かって上るように傾斜した傾斜面を有している。図３に示す容器１０の第２支持部３ｂをみると、この傾斜面と、長辺側側壁部２ａの外面とが対向しており、２つの縦リブ３１ｂ、３２ｂの対向面を加えて、先述した凹構造部５０が構成されている。
【００６４】
そして、凹構造部５０は、図３に示す容器１０の開口を下方に向けて該容器１０を置いた状態において、その底にあたる位置に、貫通部３４ｂが設けられている。具体的には、矩形を有する連結部３３ｂ（底壁部）における長辺側側壁部２ａの外面と当接する側の２つの角部が切り欠かれており、これにより、長辺側側壁部２ａの外面と、一方の縦リブ３１ｂまたは他方の縦リブ３２ｂと、連結部３３ｂとによって囲まれた貫通部３４ｂが設けられている。すなわち、貫通部３４ｂは２つある。
【００６５】
このように、容器１０の第２支持部３ｂの下部には、凹構造部５０が設けられており、凹構造部５０の開口が下を向いている状態において、凹構造部５０の内面における貫通部３４ｂの周辺の少なくとも一部分の領域にあたる連結部３３ｂは、貫通部３４ｂの位置を頂点として傾斜している。
【００６６】
図５は、図３に示す切断線Ｂ−Ｂ´において容器１０を切断した状態を示す矢視断面斜視図である。容器１０によれば、第２支持部３ｂの凹構造部５０の底壁部に貫通部３４ｂが設けられていることにより、図５に示すように容器１０を下向きに置いた状態で、その下方および斜め方向から噴射した洗浄水が凹構造部５０に入り込んだとしても、貫通部３４ｂから凹構造部５０外に排出される。図１から図３および図５に示すように、貫通部３４ｂは容器１０外に露出しており、凹構造部５０に入った洗浄水は、貫通部３４ｂを通じて容器１０外に排出されることになる。
【００６７】
連結部３３ｂの傾斜角度θは、第１支持部３ａの傾斜壁３３１（傾斜面）の傾斜角度と同様に、制限はないが、先述した角度θの範囲とすることが好ましい。
【００６８】
（２−３）第３支持部３ｃ
第３支持部３ｃは、第２支持部３ｂと同じく、長辺側側壁部２ａの外面から各々突出した２つの縦リブ３１ｃ、３２ｃ、連結部３３ｃと、貫通部３４ｃとが設けられている。第３支持部３ｃと第２支持部３ｂとの違いは、２つの縦リブ間の離間距離と、２つの縦リブを連結する連結部の形状にある。
【００６９】
具体的には、第３支持部３ｃの２つの縦リブ３１ｃ、３２ｃは、第２支持部３ｂの２つの縦リブ３１ｂ、３２ｂよりも離間距離が小さい。このように、離間距離を異ならせていることにより、容器１０同士を積み重ねる際にネスティングタイプとスタッキングタイプという異なる態様を実現することができる。詳細は後述する。
【００７０】
２つの縦リブ３１ｃ、３２ｃにも、第２支持部３ｂの２つの縦リブ３１ｂ、３２ｂと同様の切り欠きが設けられている。図１および図２には、この切り欠きを切り欠き部３５ｃとして図示している。この切り欠き部３５ｃも、先述の切り欠き部３５ａおよび切り欠き部３５ｂの場合と同様に、２つの縦リブ３１ｃ、３２ｃに挟まれた領域の洗浄性の向上に寄与する。
【００７１】
連結部３３ｃは、対をなす一方の縦リブ３１ｃと他方の縦リブ３２ｃとを連結する。連結部３３ｃと、第２支持部３ｂの連結部３３ｂとの違いは、貫通部３４ｃの数とその形状である。それ以外は、第２支持部３ｂの連結部３３ｂと同じである。
【００７２】
要するに、連結部３３ｃは、連結部３３ｂと同様に傾斜壁であり、また、第３支持部３ｃの下部に、傾斜している連結部３３ｂと２つの縦リブ３１ｃ、３２ｃと長辺側側壁部２ａの外面とによって構成される凹構造部５０が形成されており、連結部３３ｃが凹構造部５０の底壁部を構成している。そして、連結部３３ｃと、長辺側側壁部２ａの外面との間が一部離間しており、この離間部分が貫通部３４ｃを構成している。
【００７３】
連結部３３ｃは、長辺側側壁部２ａの外面に近接している側の端辺において、一方の縦リブ３１ｃとの境界箇所と他方の縦リブ３２ｃとの境界箇所とにより挟まれた中央箇所が切り欠かれた形状を有している。この切り欠かれた箇所が、長辺側側壁部２ａの外面と離間している箇所であり、貫通部３４ｃを構成している。
【００７４】
すなわち、容器１０の第３支持部３ｃの下部には、凹構造部５０が設けられており、凹構造部５０の開口が下を向いている状態において、凹構造部５０の内面における貫通部３４ｃの周辺の少なくとも一部分の領域にあたる連結部３３ｃ（底壁部）は、貫通部３４ｃの位置を頂点として傾斜している。
【００７５】
このように、容器１０によれば、第３支持部３ｃの凹構造部５０の底に貫通部３４ｃが設けられていることにより、例えば図３に示すように容器１０を下向きに置いた状態で、その下方および斜め方向から噴射した洗浄水が凹構造部５０に入り込んだとしても、貫通部３４ｃから凹構造部５０外に排出される。図１から図３および図５に示すように、貫通部３４ｃは容器１０外に露出しており、凹構造部５０に入った洗浄水は、貫通部３４ｃを通じて容器１０外に排出されることになる。
【００７６】
連結部３３ｃ（傾斜面）の傾斜角度は、第１支持部３ａの傾斜壁３３１（傾斜面）の傾斜角度と同様に、制限はないが、先述した角度θの範囲とすることが好ましい。
【００７７】
（３）容器１０同士の積み重ね
まず、以上において説明した第１支持部３ａ、第２支持部３ｂ、第３支持部３ｃの配置関係を、図１および図２に基づいて説明する。
【００７８】
図１において紙面手前側に見える短辺側側壁部２ｂの外面に設けられた２つの第１支持部３ａ同士の離間距離と、図２において紙面手前側に見える短辺側側壁部２ｂの外面に設けられた２つの第１支持部３ａ同士の離間距離とは、互いに異なっている。具体的には、図１において紙面手前側に見える短辺側側壁部２ｂの２つの第１支持部３ａ同士の離間距離のほうが、図２において紙面手前側に見える短辺側側壁部２ｂの２つの第１支持部３ａ同士の離間距離よりも短い。
【００７９】
また、短辺側側壁部２ｂに設けられているポケット部４に関しては、図１に示す短辺側側壁部２ｂのほうは、離間距離が短い２つの第１支持部３ａよりも短辺側側壁部２ｂの左右両端に近い側にそれぞれ設けられている。一方で、図２に示す短辺側側壁部２ｂのほうは、離間距離が長い２つの第１支持部３ａよりも内側に設けられている。
【００８０】
図１において紙面手前側に見える長辺側側壁部２ａの外面においては、左端寄りに第２支持部３ｂがあり、右端寄りに第３支持部３ｃがある。一方で、図２において紙面手前側に見える長辺側側壁部２ａの外面では、先ほどとは左右が逆で、左端寄りに第３支持部３ｃがあり、右端寄りに第２支持部３ｂがある。要するに、第２支持部３ｂは、容器１０の開口の中心点（図１にＰとして示す）に対して対称となる位置にそれぞれ設けられており、第３支持部３ｃも、容器１０の中心点に対して対称となる位置にそれぞれ設けられている。
【００８１】
また、長辺側側壁部２ａに設けられているポケット部４に関しては、第２支持部３ｂに隣接して設けられているポケット部４が、第３支持部３ｃを嵌入できるよう、第３支持部３ｃに隣接して設けられているポケット部４が第２支持部３ｂを嵌入できるよう、大きさが設計されている。また、対向する２つの長辺側側壁部２ａに関して、第２支持部３ｂを嵌入するポケット部４同士は対向配置しており、第３支持部３ｃを嵌入するポケット部４同士も対向配置している。
【００８２】
このような配置関係にある支持部３およびポケット部４を用いることにより、２つの容器１０が何れも図１に示す向きのままで上下に積み重ねた場合には、図６に示すように上に位置する容器１０の各支持部３が下に位置する容器１０の上フランジ部５に当接したスタッキングタイプで重なる。一方で、図１に示す向きの容器１０の上に、図２に示す向きの容器１０を積み重ねることにより、図７に示すように、各支持部３がポケット部４に嵌入し、ネスティングタイプで重なる。
【００８３】
ここで、図８から図１３を用いて、２つの容器１０を積み重ねた状態について更に説明する。
【００８４】
図８は、図６（スタッキングタイプ）に示す切断線Ｃ−Ｃ´において積み重ねた２つの容器１０の断面を示した矢視断面図であり、ちょうど、上の容器１０の第２支持部３ｂの断面が示されている。図９は、図８の第２支持部３ｂおよびその周辺を拡大した部分拡大図である。図１０は、図６（スタッキングタイプ）に示す切断線Ｄ−Ｄ´における２つの容器１０の断面を示した矢視断面図であり、ちょうど、上の容器１０の第１支持部３ａの断面が示されている。図１１は、図１０の第１支持部３ａおよびその周辺を拡大した部分拡大図である。図１２は、図７（ネスティングタイプ）に示す切断線Ｅ−Ｅ´において積み重ねた２つの容器１０の断面を示した矢視断面図であり、ちょうど、上の容器１０の第１支持部３ａの断面が示されている。図１３は、図７（ネスティングタイプ）に示す切断線Ｆ−Ｆ´において積み重ねた２つの容器１０の断面を示した矢視断面図であり、ちょうど、上の容器１０の第２支持部３ｂの断面が示されている。
【００８５】
スタッキングタイプにて上に重ねられた容器１０の第２支持部３ｂの下部は、図８に示すように、下の容器１０の長辺側側壁部２ａの上フランジ部５に設けられた当接エリア５ａに当接している。図９にて、詳細にみると、当接エリア５ａにおける、第２支持部３ｂの連結部３３ｂ（傾斜部）との当接領域が、連結部３３ｂの傾斜面に沿って傾斜しており、連結部３３ｂと係合する構成となっている。この当接領域を、図９に係合部５５として示す。
【００８６】
係合部５５を設けることにより、第２支持部３ｂの下部が当接エリア５ａから外れることを回避することができる。
【００８７】
また、先述したように上フランジ部５の上面にはレール部５ｂが延設されている。このレール部５ｂには、第２支持部３ｂの下部、特に連結部３３ｂにおける外方に露出した端辺がスライドする構成となっている。この端辺は、スライドしやすいように先端にアールが形成されていてもよい。
【００８８】
また、スタッキングタイプにて上に重ねられた容器１０の第１支持部３ａの下部は、図１０に示すように、下の容器１０の短辺側側壁部２ｂの上フランジ部５に設けられた当接エリア５ａに当接している。図１１にて、詳細にみると、上の容器１０の第１支持部３ａの垂下壁３３２の下部の端辺と、２つの縦リブ（図１１では３１ａのみを図示）の下部の端辺とが、下の容器１０の当接エリア５ａに当接している。
【００８９】
ここで、図１１に示すように、第１支持部３ａの縦リブの延長線上には、短辺側側壁部２ｂの下部まで、支持部補強リブ８が設けられている。支持部補強リブ８における外方への突出長は、縦リブ３１ａの突出長より短い。支持部補強リブ８は、第１支持部３ａの縦リブを構造的に補強するものである。また、スタッキングタイプにて上に重ねられた容器１０の位置ずれを規制することができる。なお、この支持部補強リブ８は、第２支持部３ｂおよび第３支持部３ｃにも同様に設けられていてよい。
【００９０】
また、図１１に示すように、短辺側側壁部２ｂと、その上部に設けられた当接エリア５ａとの境界部分には、傾斜領域５ｃが設けられている。傾斜領域５ｃが設けられていることによって、上の容器１０をスムーズにスタッキングタイプにて下の容器１０の開口側に嵌め込むことができる。
【００９１】
ネスティングタイプにて上に重ねられた容器１０の第１支持部３ａは、図１２に示すように、下の容器１０のポケット部４に嵌入しているが、第１支持部３ａの下部は、ポケット部４の底面に当接していない。一方で、このとき、上の容器１０の長辺側側壁部２ａに設けられたポケット部４の底壁の下面が、下の容器１０の上フランジ部５（係合部５５）に当接している。また、このときの第２支持部３ｂ近傍の状態を図１３に示しているが、ここでも、第２支持部３ｂの下部（連結部３３ｂ）は、ポケット部４の底面に当接していない。図示していないが、第３支持部３ｃの下部もポケット部４の底面に当接していない。なお、上の容器１０の短辺側側壁部２ｂに設けられたポケット部４の底壁の下面は、上フランジ部５（当接エリア５ａ）から若干浮いている。例えば、本実施形態１には開示されていないリブを短辺側側壁部２ｂに設けられたポケット部４の底壁の下面に設けて、当該リブが、下の容器１０の上フランジ部５（当接エリア５ａ）に当接するようにしてもよい。また、上の容器１０の短辺側側壁部２ｂに設けられたポケット部４の底壁の下面が、下の容器１０の上フランジ部５（当接エリア５ａ）に当接するようにしてもよい。
【００９２】
要するに、ネスティングタイプにて上に重ねられた容器１０は、下の容器１０の上フランジ部５（当接エリア５ａ）の上面に、上の容器１０の長辺側側壁部２ａに設けられたポケット部４の底壁の下面が当接することによって支持される。
【００９３】
以上のように、本実施形態１によれば、支持部３の下部に設けられた凹構造部５０に貫通部３４が設けられているとともに、貫通部３４に至るまでの凹構造部５０の内周面、具体的には凹構造部５０の底壁部にあたる連結部３３が傾斜していることから、容器１０を下向きに置いた状態で、その下方および斜め方向から噴射した洗浄水が凹構造部５０に入り込んだとしても、貫通部３４ａから凹構造部５０外に洗浄水をスムーズに排出することができる。
【００９４】
なお、本実施形態１では、第１支持部３ａ、第２支持部３ｂおよび第３支持部３ｃという３種類の支持部を採用しているが、本発明はこれに限定されるものではなく、例えば、１種類の支持部のみ、あるいは２種類の支持部を側壁部２の外面に設けてもよい。
【００９５】
また、側壁部２の外面に対する支持部の設置数も、本実施形態１に示す８つ（４つの第１支持部３ａと、２つの第２支持部３ｂと、２つの第３支持部３ｃ）に限定されるものでもない。
【００９６】
〔変形例１−１〕
先述の実施形態１では、例えば第１支持部３ａを用いて説明すれば、連結部３３ａの上部が、短辺側側壁部２ｂの外面と離間していることによって、貫通部３４ａが設けられている。すなわち、貫通部３４ａの周囲に短辺側側壁部２ｂの外面が構成されている。しかしながら、本発明はこれに限定されるものではなく、貫通部３４ａの周囲に、短辺側側壁部２ｂの外面が構成されていなくてよい。例えば、図１４に示す本変形例１−１であってもよい。
【００９７】
図１４は、変形例１−１の態様を示す断面図であり、図４に示した第１支持部３ａの断面図に対応させている。
【００９８】
図１４の態様と、図４に示す態様との違いは、連結部３３ａが有する傾斜壁の形状にある。図４に示した傾斜壁３３１は、垂下壁３３２との境界箇所から、短辺側側壁部２ｂの外面に向かって連続した傾斜角度を有して傾斜しており、該外面から離間していることにより、貫通部３４ａが設けられている。
【００９９】
一方、本変形例１−１の図１４の態様では、傾斜壁３３１−１は、垂下壁３３２と短辺側側壁部２ｂの外面との間の離間部分を覆うように設けられており、その中央に貫通部３４ａ´が設けられている。すなわち、貫通部３４ａ´の周囲は、傾斜壁３３１−１のみによって構成されている。
【０１００】
また、この傾斜壁３３１−１は、中央に設けた貫通部３４ａ´に向かって全方位に傾斜面が設けられている。要するに、図１４に示すように凹構造部５０の開口が上に向いた状態において、傾斜壁３３１−１は、凹構造部５０の底においてすり鉢形状を有している。
【０１０１】
本変形例１−１によっても、実施形態１と同様に、第１支持部３ａの下部に設けられた凹構造部５０に貫通部３４ａ´が設けられているとともに、貫通部３４ａ´に至るまでの凹構造部５０の内周面に傾斜が設けられていることから、容器１０を下向きに置いた状態で、その下方および斜め方向から噴射した洗浄水が凹構造部５０に入り込んだとしても、貫通部３４ａ´から凹構造部５０外に洗浄水をスムーズに排出することができる。
【０１０２】
なお、図１４の第１支持部３ａを一例として挙げて本変形例１−１を説明しているが、第２支持部３ｂの連結部３３ｂや、第３支持部３ｃの連結部３３ｃについても、その中央に貫通部３４を設けてもよく、その場合には、その連結部の少なくとも一部分が貫通部に至るまでの傾斜領域を有していればよい。
【０１０３】
〔変形例１−２〕
別の変形例として、図１５に示す態様であってもよい。図１５に示す本変形例１−２も、図１４と同じく、図４に示した第１支持部３ａの断面図に対応させている。
【０１０４】
図１５に示す態様は、図１４に示した変形例１−１の態様に類似しており、連結部３３ａの傾斜壁３３１−２の中央に貫通部３４ａ´が設けられており、垂下壁３３２と傾斜壁３３１−２との境界箇所から貫通部３４ａ´に至るまでの間が傾斜している一方で、短辺側側壁部２ｂの外面から貫通部３４ａ´に至るまでの間は傾斜しておらず水平面を有している。要するに、連結部３３ａは、全体的に傾斜している必要はなく、貫通部３４ａ´に至るまでの少なくとも一部分の領域が傾斜していればよい。
【０１０５】
なお、本変形例１−２において、貫通部３４ａ´の周囲には、２つの縦リブ３１ａ，３２ｂが構成されていてもよい。
【０１０６】
本変形例１−２においても、先述の変形例１−１と同じく、実施形態１と同じ効果を奏し、洗浄水をスムーズに凹構造部５０から排出させることができる。
【０１０７】
〔変形例１−３〕
別の変形例として、図１６に示す態様であってもよい。図１６に示す本変形例１−３も、図１４と同じく、図４に示した第１支持部３ａの断面図に対応させている。
【０１０８】
図１６に示す態様は、図１４に示した変形例１−１の態様に類似しており、相違点としては、連結部３３ａの傾斜壁３３１−３が、曲面を有している点にある。要するに、本願明細書における「傾斜している」には、「曲がっている」態様も含まれる。すなわち、傾斜面は曲面であってもよい。
【０１０９】
すなわち、図１６に示す態様のように、凹構造部５０の開口を上に向けている状態において、凹構造部５０の底面は曲面であり、凹構造部５０の底部は椀状の形状を有している。
【０１１０】
本変形例１−３においても、先述の変形例１−１と同じく、実施形態１と同じ効果を奏し、洗浄水をスムーズに凹構造部５０から排出させることができる。
【０１１１】
〔変形例１−４〕
先述の実施形態１および変形例では、２つの縦リブを有する支持部３（図１等）について説明したが、支持部３の構成はこれに限定されるものではない。例えば、縦リブは１つのみによって構成してもよい。具体的には、先述の第２支持部３ｂあるいは第３支持部３ｃについて、２つの縦リブ３１ｂ，３２ｂ（３１ｃ，３２ｃ）のうちの一方の縦リブが無くてもよい。
【０１１２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【０１１３】
図１７は、本実施形態２の容器１０´の斜視図である。
【０１１４】
容器１０´と、先述の実施形態１の容器１０との大きな相違点は、容器本体２０の形状（構造）と、第１支持部３ａの連結部３３ａの構造とにある。以下、これについて説明する。
【０１１５】
容器本体２０の形状に関しては、容器１０´には、図１７に示すように、容器本体２０の収容側と外部とを連通する貫通穴１０ａが複数設けられている。要するに、容器１０´はメッシュ状である。貫通穴が設けられていることにより、例えば、冷蔵品や冷凍品を収納して運搬する際に有利である。すなわち、冷蔵冷凍品を容器に収納した状態で、冷蔵あるいは冷凍機能を有する保管庫に入れる場合、冷気が容器の収納側に行き渡りやすく、鮮度を保ったまま冷蔵冷凍品を運搬することができる。
【０１１６】
第１支持部３ａの連結部３３ａに関しては、図１７とともに、図１８も用いて説明する。図１８は、図１７に示す切断線Ｇ−Ｇ´において容器１０´を部分的に切断した状態を示す部分断面斜視図である。なお、図１８は、容器１０´の開口を下に向けた状態を示している。
【０１１７】
第１支持部３ａの連結部３３ａは、垂下壁３３２と、傾斜壁３３１´とを有しており、垂下壁３３２については、実施形態１のそれと同一である。一方で、傾斜壁３３１´に関しては、実施形態１の傾斜壁３３１が２つの縦リブ３１ａ，３２ａの突出端辺に沿って設けられているのに対して、２つの縦リブ３１ａ，３２ａの突出端辺に沿っているのではなく、２つの縦リブ３１ａ，３２ａの対向面の対向領域内に設けられている。
【０１１８】
また、傾斜壁３３１´は、図１７に示すように、外方側から短辺側側壁部２ｂの外面に向かって上るように傾斜している。そして、傾斜壁３３１´における短辺側側壁部２ｂの外面に近い側の端辺は、両端は短辺側側壁部２ｂの外面に接している一方で、その間の領域は切り欠かれていて短辺側側壁部２ｂの外面から離間している。この離間している部分が、貫通部３４ａである。
【０１１９】
以上の容器１０´によれば、図１８に示すように容器１０´の開口を下向きにして置いた状態において、洗浄水を噴射した場合であっても、第１支持部３ａに設けられた凹構造部５０に入り込んだ洗浄水は、凹構造部５０の底壁部に設けられた貫通部３４ａを通じて外部に排出される。
【０１２０】
なお、本実施形態２では、長辺側側壁部２ａに設けられた第２支持部３ｂおよび第３支持部３ｃについても、幅が互いに異なるのみで、形状的には、図１７および図１８を用いて説明した第１支持部３ａと同じ形状となっていてよい。
【０１２１】
〔変形例２−１〕
本実施形態２の変形例として、図１９に示す態様であってもよい。図１９は、変形例２−１の態様を示す断面図であり、図１８に示した第１支持部３ａの断面図に対応させている。
【０１２２】
図１９の態様と、図１８に示す態様との違いは、貫通部３４ａの配設位置にある。本変形例２−１の貫通部３４ａは、第１支持部３ａに設けられた凹構造部５０の内面の一部に構成される短辺側側壁部２ｂの外面に、貫通部３４ａが設けられている。そして、傾斜壁３３１´−１は、短辺側側壁部２ｂの外面に設けられた貫通部３４ａに至るまで、傾斜しており、傾斜壁３３１´−１には貫通部は設けられていない。傾斜壁３３１´−１の傾斜方向および傾斜角度は、先述の実施形態１や他の変形例に示した傾斜壁３３１のそれと同じである。
【０１２３】
図１９に示す態様であっても、実施形態２と同じ効果を奏し、洗浄水をスムーズに凹構造部５０から排出させることができる。
【０１２４】
〔変形例２−２〕
別の変形例として、図２０に示す態様であってもよい。図２０に示す本変形例２−２も、図１９と同じく、図１８に示した第１支持部３ａの断面図に対応させている。
【０１２５】
図２０に示す態様と、実施形態２の態様との違いは、貫通部３４ａの数とその配設位置にある。具体的には、図２０に示す本変形例２−２の貫通部３４ａは、図１８に示す貫通部３４ａに加えて、凹構造部５０の内面の一部に構成される縦リブ３２ａにも貫通部３４ａが設けられている。
【０１２６】
この図２０に示す態様であっても、実施形態２と同じ効果を奏し、洗浄水をスムーズに凹構造部５０から排出させることができる。
【０１２７】
なお、凹構造部５０の内面の一部に構成されるもう１つの縦リブ３１ａにも貫通部３４ａを設けてもよい。また、縦リブ３１ａ，３２ａに設ける貫通部３４ａは、図２０で示す状態において傾斜壁３３１´よりも下方にまで広がっていてもよい。
【０１２８】
〔変形例２−３〕
別の変形例として、図２１および図２２に示す態様であってもよい。図２１は、図１７に示した実施形態２の容器１０´の斜視図に対応させており、短辺側側壁部２ｂに設けられた１つの第１支持部３ａおよびその周辺のみを示す。図２２は、図２１に示す切断線Ｈ−Ｈ´において容器１０´´を部分的に切断した状態を示す部分断面斜視図である。なお、図２２は、容器１０´´の開口を下に向けた状態を示している。
【０１２９】
先述の実施形態２と本変形例２−３との違いは、短辺側側壁部２ｂに設けられている第１支持部の凹構造部５０の形状にある。具体的には、各縦リブの形状と、連結部の形状とが、先述の実施形態２のそれと異なる。
【０１３０】
図２１に示す本変形例２−３の第１支持部３ａ´の２つの縦リブ３１ａ，３２ａは、短辺側側壁部２ｂの外面からの突出長が下部に向かって次第に長くなっている。実施形態２では、下部において突出長が一定区間等しく、先述のように横から見ると台形にみえるのに対して、本変形例２−３の第１支持部３ａ´の２つの縦リブ３１ａ，３２ａは横から見ると三角形の断面形状を有している。
【０１３１】
このように傾斜した縦リブ３１ａ，３２ａの突出端辺は、縦リブ３１ａ，３２ａの切り欠き部３５ａを構成していると換言することができる。
【０１３２】
そして、この２つの縦リブ３１ａ，３２ａを連結する連結部３３ａは、縦リブ３１ａ，３２ａの突出端辺に沿って、縦リブ３１ａ，３２ａの下部から上方に向かって一定の傾斜角度を有している。
【０１３３】
連結部３３ａは、短辺側側壁部２ｂの外面に対向配置しており、連結部３３ａの対向面と、短辺側側壁部２ｂの外面と、２つの縦リブ３１ａ，３２ａ同士の対向面とによって、第１支持部３ａ´の下部の内周面を構成している。そして、容器１０´´の開口を上方に向けて該容器１０´´を置いた状態（図２１の状態）において、連結部３３ａにおける短辺側側壁部２ｂの外面との対向面は、外方側から短辺側側壁部２ｂの外面に向かって上るように傾斜している。
【０１３４】
連結部３３ａにおける第１支持部３ａ´の下部とは反対側は、短辺側側壁部２ｂの外面から離間している。この離間している部分が、先述した凹構造部５０に設けられた貫通部３４ａにあたる。換言すれば、貫通部３４ａの周囲は、２つの縦リブ３１ａ，３２ａと、短辺側側壁部２ｂの外面と、連結部３３ａとによって構成されていると言える。
【０１３５】
図２２に示す裏返した容器１０´´の部分断面をみると、上方に開口した凹構造部５０が示されており、その底にあたる位置に、貫通部３４ａが設けられていることがわかる。
【０１３６】
なお、図２２に示す態様では、貫通部３４ａの近傍に、短辺側側壁部２ｂの外面に設けられた貫通穴１０ａがある。この貫通穴１０ａは、貫通部３４ａと同等の機能を有することから、貫通部３４ａとみなしてもよい。
【０１３７】
本変形例２−３の態様によっても、実施形態２と同じ効果を奏し、洗浄水をスムーズに凹構造部５０から排出させることができる。
【０１３８】
〔変形例２−４〕
先述の各実施形態および変形例では、側壁部２から一方向に突出している平板からなる２つの縦リブを支持部３の上下方向の骨格構造として具備しているが、本発明はこれに限定されるものではなく、この骨格構造が湾曲している構造であってもよい。その一例として、円筒型の骨格構造を有するものであってもよい。円筒構造の軸心を側壁部２の外面の上下方向と平行になるようにして円筒型の骨格構造を設け、その筒内に、先述の連結部３３に相当する連結部を配設した構造とすることができる。
【０１３９】
〔まとめ〕
本発明の態様１に係る容器１０、１０´、１０´´は、上面が開口した平面視矩形状の容器本体２０と、上記容器本体２０の側壁部２の外面の下部に設けられ、上記外面から突出した支持部３とを備え、複数個を積み重ねた場合に、上記側壁部２の上端部に、上に重ねた容器１０、１０´、１０´´の上記支持部３を載置可能な容器１０、１０´、１０´´において、上記支持部３の下部に、下方に開口し、上向きに凹となり、上端部が底壁部（連結部３３、傾斜壁３３１、３３１−１、３３１−２、３３１−３、３３１´、３３１´−１）となっている凹構造部５０を有し、上記凹構造部５０の上記底壁部（連結部３３、傾斜壁３３１、３３１−１、３３１−２、３３１−３、３３１´、３３１´−１）あるいは上記底壁部（連結部３３、傾斜壁３３１、３３１−１、３３１−２、３３１−３、３３１´、３３１´−１）の近傍には、貫通孔（貫通部３４）が設けられており、上記底壁部（連結部３３、傾斜壁３３１、３３１−１、３３１−２、３３１−３、３３１´、３３１´−１）は、上記貫通孔（貫通部３４）に向かって斜め上方に傾斜している。
【０１４０】
上記の構成によれば、容器を洗浄水で洗浄する際に、容器をその開口を下に向けて洗浄水で洗浄する場合であっても、凹構造部５０に入り込んだ洗浄水が貫通孔（貫通部３４）を通じて凹構造部５０の外に排出され、残留することを回避することができる。また、底壁部（連結部３３、傾斜壁３３１、３３１−１、３３１−２、３３１−３、３３１´、３３１´−１）が、貫通孔（貫通部３４）に向かって斜め上方に傾斜していることにより、凹構造部５０に入り込んだ洗浄水をスムーズに貫通孔（貫通部３４）に導くことができる。
【０１４１】
そのため、従前に比べ、洗浄性を高めることができる。
【０１４２】
また、上記の構成によれば、洗浄工程後におこなう乾燥工程でも従前の容器に比べて乾燥時間を短くすることができ、洗浄効率アップに寄与することができる。
【０１４３】
本発明の態様２に係る容器１０、１０´、１０´´は、上記態様１において、上記支持部３が、上記側壁部２の上記外面から各々突出した第１突出部（縦リブ３１）および第２突出部（縦リブ３２）を有し、上記底壁部（連結部３３、傾斜壁３３１、３３１−１、３３１−２、３３１−３、３３１´、３３１´−１）は、上記第１突出部（縦リブ３１）と上記第２突出部（縦リブ３２）とを連結し、上記側壁部２の上記外面、上記第１突出部（縦リブ３１）、上記第２突出部（縦リブ３２）および上記底壁部（連結部３３、傾斜壁３３１、３３１−１、３３１−２、３３１−３、３３１´、３３１´−１）は上記凹構造部５０を形成し、上記貫通孔（貫通部３４）は、（ア）上記底壁部（連結部３３、傾斜壁３３１）と上記側壁部２の上記外面と上記第１突出部（縦リブ３１）および上記第２突出部（縦リブ３２）の少なくとも一方とによって囲まれているか、（イ）上記底壁部（連結部３３、傾斜壁３３１´、３３１´−１）と上記側壁部２の上記外面とによって囲まれているか、もしくは（ウ）上記底壁部（連結部３３、傾斜壁３３１−１、３３１−２、３３１−３）によって囲まれている、構成となっている。
【０１４４】
上記の構成によれば、上記（ア）から（ウ）の何れの態様であっても、貫通孔（貫通部３４）に至る領域の一部が傾斜しており、凹構造部５０に入り込んだ洗浄水をスムーズに排出することができる。
【０１４５】
本発明の態様３に係る容器１０、１０´、１０´´は、上記態様１または２において、上記支持部３が、上記凹構造部５０の上方位置、または上端部の下方位置に、切り欠き部３５ａ、３５ｂ、３５ｃを有している。
【０１４６】
上記の構成によれば、切り欠き部３５ａ、３５ｂ、３５ｃによって、貫通孔（貫通部３４）を露出させることができ、洗浄性を高めることができる。
【０１４７】
本発明の態様４に係る容器１０、１０´、１０´´は、上記態様２または３において、上記第１および第２突出部（縦リブ３１、３２）における上記側壁部２の上記外面からの突出長は、上記第１および第２突出部（縦リブ３１、３２）の上部から下部に向かって大きくなっていてもよい。
【０１４８】
上記の構成によれば、支持部３の下部が大きく突出しているため、上記容器１０、１０´、１０´´同士を積み重ねた場合に下の上記容器１０、１０´、１０´´の上記側壁部２の上端部（上フランジ部５）に安定性よく載置させることができる。
【０１４９】
本発明の態様５に係る容器１０、１０´、１０´´は、上記態様１から４において、上記凹構造部５０は、開口している側に、傾斜部（連結部３３ｂ）を有し、上記側壁部２の上記上端部は、上に積み重ねる上記容器１０、１０´、１０´´の上記凹構造部５０の上記傾斜部（連結部３３ｂ）と係合する係合部５５を有している。
【０１５０】
上記の構成によれば、積み重ねた上の容器が横滑りして落下する事態を回避することができる。
【０１５１】
〔付記事項〕
本発明は先述した各実施形態および変形例に限定されるものではなく、請求項に示した範囲で種々の変更が可能であり、異なる実施形態および変形例にそれぞれ開示された技術的手段を適宜組み合わせて得られる実施形態についても本発明の技術的範囲に含まれる。
【符号の説明】
【０１５２】
１  底構成部
１ａ  底部
１ｂ  底リブ
２  側壁部
２ａ  長辺側側壁部
２ｂ  短辺側側壁部
３  支持部
３ａ、３ａ´  第１支持部
３ｂ  第２支持部
３ｃ  第３支持部
４  ポケット部
５  上フランジ部
５ａ  当接エリア
５ｂ  レール部
５ｃ  傾斜領域
６  補助フランジ部
７  フランジ補強リブ
８  支持部補強リブ
１０、１０´、１０´´  容器
１０ａ  貫通穴
２０  容器本体
３１、３１ａ、３１ｂ、３１ｃ  縦リブ（第１突出部）
３２、３２ａ、３２ｂ、３２ｃ  縦リブ（第２突出部）
３３、３３ａ、３３ｂ、３３ｃ  連結部（底壁部、傾斜部）
３４、３４ａ、３４ｂ、３４ｃ  貫通部
３５ａ、３５ｂ、３５ｃ  切り欠き部
５０  凹構造部
５５  係合部
３３１、３３１−１、３３１−２、３３１−３、３３１´、３３１´−１  傾斜壁（底壁部）
３３２  垂下壁
【図１】
2020200075.tif 000003
【図２】
2020200075.tif 000004
【図３】
2020200075.tif 000005
【図４】
2020200075.tif 000006
【図５】
2020200075.tif 000007
【図６】
2020200075.tif 000008
【図７】
2020200075.tif 000009
【図８】
2020200075.tif 000010
【図９】
2020200075.tif 000011
【図１０】
2020200075.tif 000012
【図１１】
2020200075.tif 000013
【図１２】
2020200075.tif 000014
【図１３】
2020200075.tif 000015
【図１４】
2020200075.tif 000016
【図１５】
2020200075.tif 000017
【図１６】
2020200075.tif 000018
【図１７】
2020200075.tif 000019
【図１８】
2020200075.tif 000020
【図１９】
2020200075.tif 000021
【図２０】
2020200075.tif 000022
【図２１】
2020200075.tif 000023
【図２２】
2020200075.tif 000024
【図２３】
2020200075.tif 000025
【図２４】
2020200075.tif 000026
【図２５】
2020200075.tif 000027